【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
皮膚表面上の球体の変化（変位）を高速度カメラで撮影し、該撮影された球体の変化を画像処理解析することを特徴とする、皮膚特性の鑑別法。
【請求項２】
前記皮膚特性が、皮膚の表面状態の官能評価値と皮膚表面上の球体の特性値との相関関係によって決定されることを特徴とする、請求項１に記載の皮膚特性の鑑別法。
【請求項３】
前記皮膚特性が、「柔らかさ」又は「弾力性」から選択されることを特徴とする、請求項１又は２に記載の皮膚特性の鑑別法。
【請求項４】
前記皮膚特性が、「なめらかさ」であることを特徴とする、請求項１又は２に記載の皮膚特性の鑑別法。
【請求項５】
皮膚表面に落下させる又は皮膚表面上をころがす球体、該球体を保持する固定手段、該球体落下後の球体変化を撮影する高速度カメラ、及び該高速度カメラで撮影した画像を処理・解析・表示を行う解析・表示手段を備えた皮膚特性の鑑別システム。
【手続補正２】
【補正対象書類名】明細書
【補正対象項目名】０００４
【補正方法】変更
【補正の内容】
【０００４】
かような状況下に於いて、本発明者らは柔らかさ、弾力性及びなめらかさ等の皮膚特性を、より視覚的に、より実感し且つ認識し易い評価方法について鋭意研究探索を行ってきた。ここで、本発明者らは脳の情報処理科学や認知心理学に於いて、空間知覚において視覚の優位性が存し、また視覚・触覚相互作用と相互補完作用が存することに気がついた。言い換えれば、人は視覚から外部情報の９０％を入手することや、また、例えば、柔らかさやハリ・弾力性等の官能用語は視覚と触覚に共通する用語であるように、視覚・触覚相互作用や相互補完作用という重要な関係が存することである。即ち、かような現象を利用して皮膚特性を評価すれば、視覚と触覚の両方に裏付けられた、実感し易く且つ認識し易い皮膚特性の評価方法となり得ると考えられる。より具体的には、皮膚表面に対して落下させたり、ころがしたりした球体は、皮膚特性に支配された挙動を取ることから、皮膚表面上の球体の変化は、皮膚特性の官能評価値と相関関係がある。そこで、測定で得られた皮膚表面上の球体の変化を指標とすることで、触覚的な柔らかさ、弾力性及びなめらかさ等の皮膚特性が導き出せる。また、皮膚表面上の球体の変化は、視覚的に表現が可能であるため、柔らかさ、弾力性及びなめらかさ等の皮膚特性を、人が実感し且つ認識しやすい視覚情報として提供できる。かように、皮膚表面上の球体の変化を指標とすることで、視覚的な柔らかさ、弾力性及びなめらかさ等の皮膚特性となり、実感し且つ認識しやすい鑑別法となることについては全く知られていなかった。
【手続補正３】
【補正対象書類名】明細書
【補正対象項目名】０００８
【補正方法】変更
【補正の内容】
【０００８】
（１）皮膚表面上の球体の変化（変位）を高速度カメラで撮影し、該撮影された球体の変化を画像処理解析することを特徴とする、皮膚特性の鑑別法。
（２）前記皮膚特性が、皮膚の表面状態の官能評価値と皮膚表面上の球体の特性値との相関関係によって決定されることを特徴とする、（１）に記載の皮膚特性の鑑別法。
（３）前記皮膚特性が、「柔らかさ」又は「弾力性」から選択されることを特徴とする、（１）又は（２）に記載の皮膚特性の鑑別法。
（４）前記皮膚特性が、「なめらかさ」であることを特徴とする、（１）又は（２）に記載の皮膚特性の鑑別法。
（５）皮膚表面に落下させる又は皮膚表面上をころがす球体、該球体を保持する固定手段、該球体落下後の球体変化を撮影する高速度カメラ、及び該高速度カメラで撮影した画像を処理・解析・表示を行う解析・表示手段を備えた皮膚特性の鑑別システム。
【手続補正４】
【補正対象書類名】明細書
【補正対象項目名】００１１
【補正方法】変更
【補正の内容】
【００１１】
前記皮膚上の球体は被験者の皮膚上に落下後、めり込み、跳ね返るという変化を示すが、かような変化（変位）は皮膚表面状態によって影響を受け支配されている。即ち、後述する実施例から明らかなように、例えば、皮膚特性が「柔らかさ」であれば、皮膚が柔らかいほど落下した球体は皮膚内部にめり込み、皮膚表面から皮膚内部にめり込んだ球体の変位量として定義される「めり込み量」は大きい（図２参照）。また、皮膚に落下した球体は皮膚にめり込んだ後反対方向に跳ね返るが、皮膚特性の「弾力性」が大きいほど、このときめり込み量と皮膚表面から跳ね返った最大到達変位量との和として定義される「跳ね返り量」は大きい。図３に、球体の落下に伴う球体の変位量とその時間との関係を示す。
【手続補正５】
【補正対象書類名】明細書
【補正対象項目名】００１９
【補正方法】変更
【補正の内容】
【００１９】
固定手段２は、球体１を空中又は皮膚上に一時的に固定した後、皮膚上に落下しめり込んだ後跳ね返るか、或いは皮膚の傾斜に沿ってころがすという機能を有すればよく、例えば、パイプタイプ、クランプタイプ或いはゲートタイプのものが好ましく例示できる。ここで、「柔らかさ」や「弾力性」を評価する場合の球体を落下させる位置、即ち図１における高さＨは、被験者の安全性、球体大きさと重さによる制約を受けるが、好ましくは１０〜４０ｃｍが例示できる。これに対して「なめらかさ」を評価する場合には、皮膚上を起点（高さＨ＝０ｃｍ）に球体をころがすことが再現性上好ましく、また、皮膚上をころがす場合は、皮膚上に落下させる場合に比して、球体の大きさや重さはより小さく軽いことが再現性上好ましい。
【手続補正６】
【補正対象書類名】明細書
【補正対象項目名】００２３
【補正方法】変更
【補正の内容】
【００２３】
＜皮膚特性が「柔らかさ」の鑑別＞
以下の方法・条件にて皮膚評価が柔らかさと本発明の皮膚特性との関係について検討し、また、被験者にその結果及び球体の変化を呈示して、その妥当性・実感を確認した。即ち、洗顔３０分後において、被験者の頬部に球体を落下させ、撮影した高速度カメラのデータに画像処理解析を行い、柔らかさの変位量である「めり込み量」を算出し、柔らかさの官能評価値との関係を解析した。表１に示すように、柔らかさの官能評価値とめり込み量との結果はよく一致しており、また、結果について各被験者とも十分に納得した。これより、球体が皮膚内にめり込むという視覚的認知と官能評価という触覚的な認知によって、本願発明の鑑別法は被験者に強く実感し且つ認識させる皮膚特性の鑑別効果があることが分かる。
【手続補正７】
【補正対象書類名】明細書
【補正対象項目名】００２６
【補正方法】変更
【補正の内容】
【００２６】
実施例１において、女性被験者数を増加させて（Ｎ＝１５）、同様の解析及び順位相関分析・回帰分析を行い、その結果を図４及び下記に示す。これより、両者の関係は有意で且つ高い相関関係にあり、本願発明の鑑別法は被験者に強く実感し且つ認識させる皮膚特性の鑑別効果があることが分かる。また、得られた回帰式を利用して、より認識し易い官能評価の柔らかさを推定することができ、高速度カメラによる球体変化の視覚的情報提供と一緒に、肌のカウンセリングなどに利用することもできる。
・「柔らかさ」＝１．０３＊「めり込み量」−２．２２（ｒ＝０．７１８、Ｐ＜０．０１）
【手続補正８】
【補正対象書類名】明細書
【補正対象項目名】００２７
【補正方法】変更
【補正の内容】
【００２７】
＜皮膚特性が「弾力性」の鑑別＞
実施例１及び２での皮膚評価を、柔らかさから弾力性に換えて、弾力性の変位量である「跳ね返り量」を算出した後、上記と同様に検討を行った。その結果を図５及び下記に示す。これより皮膚特性「柔らかさ」と同様のことが皮膚特性「弾力性」においても存し、本願発明の鑑別法は被験者に強く実感し且つ認識させる皮膚特性の鑑別効果があることが分かる。
・皮膚評価：３名の専門評価者による官能評価プロファイルによる弾力性３段階評価（３：弾力性がある〜２：普通〜１：弾力性がない）
・「弾力性」＝０．３０＊「跳ね返り量」＋０．４４（ｒ＝０．６８７、Ｐ＜０．０１）
【手続補正９】
【補正対象書類名】明細書
【補正対象項目名】００３１
【補正方法】変更
【補正の内容】
【００３１】
＜試験例：クリーム塗布による皮膚の「なめらかさ」の鑑別＞
実施例４において、女性被験者数を増加させて（Ｎ＝１０）、左前腕内側部を洗浄３０分後、下記の皮膚に対するなめらかさ感の異なる２種類のクリームＡ又はＢを一定量塗布した後、同様にころがり試験を行い、ころがり速度を算出した。また、別途クリームＡ，Ｂを塗布した場合のなめらかさについて被験者全員に評価させた。順位効果を考慮しクリーム塗布の順番は半数を逆とした。図６は、クリームＡとＢを塗布した場合の球体のころがり速度の１０名の平均値のグラフである。被験者の９０％はクリームＡを塗布した場合の方がなめらかと評価した。これらより皮膚評価のなめらかさが大きいクリームＡの方が有意にころがり速度が大きく（対応ある場合のｔ−検定、Ｐ＜０．０００１）、本願発明の鑑別法がクリーム塗布による皮膚のなめらかさの効果の鑑別にも利用できることが分かる。
【手続補正１０】
【補正対象書類名】明細書
【補正対象項目名】００３８
【補正方法】変更
【補正の内容】
【００３８】
【図１】皮膚特性鑑別システムの概略構成図である。
【図２】球体のめり込み量及び跳ね返り量の変位量を示す図である。
【図３】球体の変位量と時間との関係を示す図である。
【図４】球体のめり込み量と皮膚官能評価（柔らかさ）との関係を示す散布図である。
【図５】球体の跳ね返り量と皮膚官能評価（弾力性）との関係を示す散布図である。
【図６】クリームＡ，Ｂのころがり速度への影響を示す図である。